(57)【要約】【課題】ジョブデータに修正を加える際に使い勝手がよい画像形成装置を提供する。【解決手段】  記憶部９は、ユーザーの認証のためのアカウント設定９０と、ユーザーのジョブデータ９２と、ジョブデータ９２を削除するまでの設定時間の値であるタイマー設定９１とを記憶する。記録媒体接続部６３は、ユーザーの認証を行う。ジョブデータ削除制御部８１は、認証されたユーザーの指示を検知して、ジョブデータ９２の修正を行う。人感センサー１３は、ユーザーの接近を検知する。制御部８のタイマー８２は、ユーザー毎又はジョブデータ９２毎に、時間の経過を計測する。ジョブデータ削除制御部８１は、ジョブデータ９２が修正された後、設定された時間ｔＲ１が経過した後、ジョブデータ９２を削除する。ジョブデータ削除制御部８１は、人感センサー１３によりユーザーの接近が検知された場合、設定された時間ｔＲ１を消去する。【選択図】図２
2014091215.tif 000002
【特許請求の範囲】
【請求項１】
ジョブデータを記憶するジョブデータ記憶手段と、
ユーザーの認証を行うユーザー認証手段と、
前記ユーザー認証手段により認証された前記ユーザーの指示により、前記ジョブデータの修正を行うジョブデータ修正手段とを備える画像形成装置において、
人の接近を検知する人検知手段と、
前記ジョブデータが前記ジョブデータ修正手段で修正された場合、前記ユーザーのログアウト後に時間の経過を測定し、前記時間の経過の測定値が第１の所定時間になった際に、前記ユーザーの前記ジョブデータを削除するジョブデータ削除制御手段とを備え、
前記ジョブデータ削除制御手段は、前記人検知手段により人の接近が検知された場合、前記時間の経過の測定値を消去し、再度、時間の経過の測定を始める
ことを特徴とする画像形成装置。
【請求項２】
前記ジョブデータ削除制御手段は、人の接近が人検知手段により検知されたものの、前記ジョブデータのユーザーとは異なるユーザーが前記ユーザー認証手段で認証された場合、前記時間の経過の測定値が第２の所定時間になった際に、前記ユーザーの前記ジョブデータを削除する
ことを特徴とする請求項１に記載の画像形成装置。
【請求項３】
ユーザーのジョブデータを記憶し、
前記ユーザーの認証を行い、
認証された前記ユーザーの指示により、前記ジョブデータの修正を行う画像形成方法において、
前記ジョブデータが修正された場合、前記ユーザーのログアウト後に時間の経過を測定し、前記時間の経過の測定値が第１の所定時間になった際に、前記ユーザーの前記ジョブデータを削除し、
人検知手段により人の接近が検知された場合、前記時間の経過の測定値を消去し、再度、時間の経過の測定を始める
ことを特徴とする画像形成方法。
【発明の詳細な説明】
【技術分野】
【０００１】
本発明は、画像形成装置及び画像形成方法に係り、特にユーザー認証によりジョブデータの修正を行うことが可能な画像形成装置及び画像形成方法に関する。
【背景技術】
【０００２】
従来の複写機や複合機（Multifunctional Peripheral, MFP）等の画像形成装置は、ＰＣ等の端末からジョブデータを送信し、画像形成装置で記録紙へ出力する記録等を行うことが可能なネットワーク出力対応のものが存在する。
このようなネットワーク出力対応の画像形成装置で記録を行う際に、ユーザーが出力された画像を確認した後で、ジョブデータに修正を加えることがある。たとえば、画像の濃度調整や画像の位置調整等の修正を行う場合や、多部数の出力を行う前に試し出力を行うような場合等である。
従来のジョブデータの修正の際、ユーザーは、一旦、画像形成装置の設置場所に出力された記録紙を取りに行き、また端末まで戻り、設定を変更して出力する必要があった。このため、作業効率が低下していた。
【０００３】
ここで、特許文献１を参照すると、手動操作手段に暗証データが入力操作されると対応する複数の印刷データをレイアウトしてデータ印刷手段に印刷出力させるデータレイアウト手段を備えるプリンタ装置が記載されている（以下、従来技術１とする。）。
従来技術１においては、プリンタ装置にデータレイアウト手段を具備していることにより、ロールシートなどの無駄な消費を防止することができる。
【０００４】
また、特許文献２を参照すると、印刷データを装置内に蓄積する記憶手段と、記憶手段に蓄積されたデータのビットマップの内容を操作パネル上に、又はネットワークを介して接続されたパーソナルコンピュータ上に表示する表示手段と、記憶手段に蓄積された印刷データの内容を前記表示手段上で閲覧しながら表示操作パネルあるいは前記パーソナルコンピュータから任意のデータ内の任意のページを指定して印刷データをページ単位で編集する編集手段とを備えた印刷装置が記載されている（以下、従来技術２とする。）。  
従来技術２では、画像形成装置画像出力装置内に蓄積されたデータのビットマップの内容をネットワーク上の端末に表示し、任意データの任意のページに対してページ単位で編集や差し替えを可能とすることができる。
【先行技術文献】
【特許文献】
【０００５】
【特許文献１】特開平１０−３１２２４９号公報
【特許文献２】特開２００６−１２３３１９号公報
【発明の概要】
【発明が解決しようとする課題】
【０００６】
しかしながら、従来技術１、２によれば、画像形成装置の記憶部に、編集が不要なジョブデータが出力完了後も蓄積されてしまうという問題があった。
この蓄積された不要なジョブデータは、ユーザーが削除しないと記憶部の空き容量を圧迫していた。さらに、不要なジョブデータが不正に使用されてしまうと、セキュリティー上の問題が発生するおそれがあった。
このため、従来技術２のような従来の画像形成装置においては、ジョブデータが入力されてから所定時間が経過すれば、当該ジョブデータを削除していた。
しかし、単純に経過時間のみでデータを削除すると、ジョブデータの入力から時間が経過した場合、画像形成装置までユーザーが行って画像を確認しても、当該ジョブデータが既に削除されている可能性があった。この場合、当該ユーザーは、当該ジョブデータの編集作業ができず、出力もされなかった。
このため、使い勝手が悪いという問題があった。
【０００７】
本発明は、このような状況に鑑みてなされたものであり、上述の課題を解消することを課題とする。
【課題を解決するための手段】
【０００８】
本発明の画像形成装置は、ジョブデータを記憶するジョブデータ記憶手段と、ユーザーの認証を行うユーザー認証手段と、前記ユーザー認証手段により認証された前記ユーザーの指示により、前記ジョブデータの修正を行うジョブデータ修正手段とを備える画像形成装置において、人の接近を検知する人検知手段と、前記ジョブデータが前記ジョブデータ修正手段で修正された場合、前記ユーザーのログアウト後に時間の経過を測定し、前記時間の経過の測定値が第１の所定時間になった際に、前記ユーザーの前記ジョブデータを削除するジョブデータ削除制御手段とを備え、前記ジョブデータ削除制御手段は、前記人検知手段により人の接近が検知された場合、前記時間の経過の測定値を消去し、再度、時間の経過の測定を始めることを特徴とする。
本発明の画像形成装置は、前記ジョブデータ削除制御手段は、人の接近が人検知手段により検知されたものの、前記ジョブデータのユーザーとは異なるユーザーが前記ユーザー認証手段で認証された場合、前記時間の経過の測定値が第２の所定時間になった際に、前記ユーザーの前記ジョブデータを削除する
ことを特徴とする請求項１に記載の画像形成装置。
本発明の画像形成方法は、ユーザーのジョブデータを記憶し、前記ユーザーの認証を行い、認証された前記ユーザーの指示により、前記ジョブデータの修正を行う画像形成方法において、前記ジョブデータが修正された場合、前記ユーザーのログアウト後に時間の経過を測定し、前記時間の経過の測定値が第１の所定時間になった際に、前記ユーザーの前記ジョブデータを削除し、人検知手段により人の接近が検知された場合、前記時間の経過の測定値を消去し、再度、時間の経過の測定を始めることを特徴とする。
【発明の効果】
【０００９】
本発明によれば、ユーザーのログイン状態と人感センサーの検出状況により、ジョブデータの削除までの時間が決定するため、ユーザーの使い勝手がよい画像形成装置を提供することができる。
【図面の簡単な説明】
【００１０】
【図１】本発明の実施の形態に係る画像形成装置１の内部構成を示す概略模式断面図である。
【図２】本発明の実施の形態に係る画像形成装置１の制御構成を示すブロック図である。
【図３】本発明の実施の形態に係るジョブデータ維持制御処理のフローチャートである。
【発明を実施するための形態】
【００１１】
＜実施の形態＞
〔画像形成装置１の構成〕
次に、図１〜図２を参照して、本発明の実施の形態に係る画像形成装置１の構成について詳しく説明する。
図１によると、本実施の形態の画像形成装置１は、原稿読取部２、原稿給送部３（原稿給送手段）、本体部４、スタックトレイ５、操作パネル部６（操作パネル手段、ユーザー認証手段）、人感センサー１３（人検知手段）、及び記録媒体接続部６３（記録媒体接続手段、ユーザー認証手段）を備えている。
原稿読取部２は、本体部４の上部に配設され、原稿給送部３は、原稿読取部２の上部に配設されている。スタックトレイ５は、本体部４の形成された記録紙の排出口４１側に配設され、また、操作パネル部６は、画像形成装置１のフロント側に配設されている。
【００１２】
原稿読取部２は、スキャナー２１（原稿読取手段）と、プラテンガラス２２と、原稿読取スリット２３とを備える。スキャナー２１は、露光ランプ、及びＣＣＤ(Charge Coupled Device)やＣＭＯＳ（Complementary Metal Oxide Semiconductor）撮像センサー等から構成され、原稿給送部３による原稿の搬送方向に移動可能に構成されている。プラテンガラス２２は、ガラス等の透明部材により構成された原稿台である。原稿読取スリット２３は、原稿給送部３による原稿の搬送方向と直交方向に形成されたスリットを有する。
【００１３】
プラテンガラス２２に載置された原稿を読み取る場合には、スキャナー２１は、プラテンガラス２２に対向する位置に移動され、プラテンガラス２２に載置された原稿を走査しながら原稿を読み取って画像データを取得して、取得した画像データを本体部４に出力する。
また、原稿給送部３により搬送された原稿を読み取る場合には、スキャナー２１は、原稿読取スリット２３と対向する位置に移動され、原稿読取スリット２３を介し、原稿給送部３による原稿の搬送動作と同期して原稿を読み取って画像データを取得し、取得した画像データを本体部４に出力する。
【００１４】
原稿給送部３は、原稿載置部３１と、原稿排出部３２と、原稿搬送機構３３とを備えている。原稿載置部３１に載置された原稿は、原稿搬送機構３３によって、１枚ずつ順に繰り出されて原稿読取スリット２３に対向する位置へ搬送され、その後、原稿排出部３２に排出される。なお、原稿給送部３は、可倒式に構成され、原稿給送部３を上方に持ち上げることで、プラテンガラス２２の上面を開放させるプラテンカバーとしても機能させることができる。
【００１５】
本体部４は、画像形成部７を備えると共に、給紙部４２と、用紙搬送路４３と、搬送ローラー４４と、排出ローラー４５とを備えている。
給紙部４２は、それぞれサイズ又は向きが異なる記録紙を収納する複数の給紙カセット４２１と、給紙カセット４２１から記録紙を１枚ずつ用紙搬送路４３に繰り出す給紙ローラー４２２とを備えている。
給紙カセット４２１は、用紙保持手段として機能する。
給紙ローラー４２２、搬送ローラー４４、及び排出ローラー４５は、搬送部（搬送手段）として機能する。記録紙は、この搬送部により搬送される。給紙ローラー４２２によって用紙搬送路４３に繰り出された記録紙は、搬送ローラー４４によって画像形成部７に搬送される。
そして、画像形成部７によって記録が施された記録紙は、排出ローラー４５によってスタックトレイ５に排出される。
【００１６】
操作パネル部６は、ＬＣＤ等の表示部と、各種指示を行うためのタッチパネル６１やボタン部６２等とを備えている。
タッチパネル６１は、抵抗膜方式や静電容量方式のタッチパネルであり、ユーザーが押下した表示部上の座標や押圧等を検知する。タッチパネル６１は、マルチタッチ対応のパネルの場合には、複数の座標や押圧等を検知できる。また、タッチパネル６１が静電容量方式の場合には、完全に押下しなくてもユーザーの指等が所定間隔まで近づくと座標を検知できる。
ボタン部６２は、スタートキー、テンキー、複写、スキャナー等の動作モードの切り換え、選択された文書の印刷／送信／受信等に係る指示を取得するためのボタンである。ボタン部６２も、静電容量方式のボタンを用いて、ユーザーの指等が所定間隔近づいたことを検知するように構成してもよい。
操作パネル部６のタッチパネル６１及びボタン部６２は、ユーザーによる画像形成装置１の指示を受けとるユーザー指示取得手段として機能する。
【００１７】
画像形成部７は、感光体ドラム７１と、露光部７２と、現像部７３と、転写部７４と、定着部７５とを備えている。露光部７２は、レーザー装置やＬＥＤアレイやミラーやレンズ等を備えた光学ユニットであり、画像データに基づいて光等を出力して感光体ドラム７１を露光し、感光体ドラム７１の表面に静電潜像を形成する。
現像部７３は、トナーを用いて感光体ドラム７１に形成された静電潜像を現像する現像ユニットであり、静電潜像に基づいたトナー像を感光体ドラム７１上に形成させる。転写部７４は、現像部７３によって感光体ドラム７１上に形成されたトナー像を記録紙に転写させる。定着部７５は、転写部７４によってトナー像が転写された記録紙を加熱してトナー像を記録紙に定着させる。
【００１８】
人感センサー１３は、数ｍ以上の遠距離でも人等の温熱体の接近を感知可能な焦電センサや赤外線センサー等である。人感センサー１３は、画像形成装置１の所定範囲内に人が近づいたことを検知する。人感センサー１３は、主に、画像形成装置１の前面に人がいることが検出可能である。この人感センサー１３として、例えば、特開２０１１−１５０８４号公報に記載の番組記録装置に備わった人感センサー等を用いることができる。
なお、人感センサー１３として、カメラ等の光学センサ、生体認証センサ、マイクロ波レーダー等を用いて、ユーザーの接近を検知してもよい。
【００１９】
記録媒体接続部６３は、記録媒体１００と接続されるリーダ／ライタ等である。記録媒体接続部６３は、無線や光学的な接続にて記録媒体１００や各種機器と接続されても、端子が記録媒体１００と直接接触して有線で接続されてもよい。記録媒体接続部６３は、記録媒体１００が無線で接続される場合は、ＲＦＩＤ（Radio Frequency IDentification）カード等のリーダ／ライタ、ＮＦＣ、Ｂｌｕｅｔｏｏｔｈ（登録商標）等のアンテナ及び復調器を含む送受信手段や、ＩｒＤＡの赤外線送受信手段等を備える。記録媒体接続部６３は、記録媒体１００が有線で接続される場合は、記録媒体１００の読み書きに対応した端子やコネクタと接続／制御回路等とを備える。
記録媒体接続部６３に接続された記録媒体は、記憶部９（図２参照）と同様に記憶手段としても機能する。
【００２０】
記録媒体１００は、ユーザー認証用のＲＦＩＤカード、ＵＳＢメモリ、ＵＳＢ接続ＨＤＤ、デジタルカメラ、ビデオカメラ、スマートフォン、タブレット、ＰＤＡ等の記憶媒体を内蔵した各種機器を接続するためのＵＳＢ端子、ＳＤカード／ｘＤ／メモリースティック等の各種フラッシュメモリ等の記憶媒体等である。
記録媒体１００は、ユーザーＩＤ（Identification）を含む暗号化された認証情報等を記憶しており、ユーザーの認証（個人認証）に用いられる。また、記録媒体１００には、文書や写真のファイルが記憶されたり、スキャンされた画像のファイル、ユーザーのアカウントに関する情報等が記憶されてもよい。
なお、操作パネル部６のタッチパネル６１やボタン部６２からユーザーの認証を行うこともできる。
【００２１】
なお、原稿給送部３は、原稿が原稿載置部３１に載置された際に原稿のサイズや枚数等も含めて検知する原稿検知センサを備えている。また、原稿給送部３は、プラテンカバーが開閉されたことを検知する開閉センサー等も備えている。
また、本体部４は、図示しない手差しトレイの開閉や、給紙カセット４２１の交換等を用紙セットとして検知するセンサも備えている。この他にも、各部位は、状態の変化を検知するためのセンサを備えている。
【００２２】
図２には、画像形成装置１の概略制御構成を示すブロック図が示されている。上述の原稿読取部２、原稿給送部３、搬送部（給紙ローラー４２２、搬送ローラー４４、排出ローラー４５）、操作パネル部６、及び画像形成部７は、制御部８に接続され、制御部８によって動作制御される。また、制御部８には、記憶部９（記憶手段）、画像処理部１０（画像処理手段）、人感センサー１３、記録媒体接続部６３、ＦＡＸ送受信部１１（ファクシミリ送受信手段）、ネットワーク送受信部１２（ネットワーク送受信手段）等が接続されている。
【００２３】
制御部８は、ＲＯＭ（Read Only Memory）、ＲＡＭ（Random Access Memory）等を備えたマイクロコンピュータ等の情報処理部である。ＲＯＭには画像形成装置１の動作制御を行うための制御プログラムが記憶されている。
制御部８は、ＲＯＭに記憶されている制御プログラムを読み出し、制御プログラムをＲＡＭに展開させることで、操作パネル部６から入力された所定の指示情報に応じて、装置全体の制御を行う。また、制御部８及び画像処理部１０は、他の画像形成装置１や、ユーザーのＰＣ（Personal Computer）やスマートフォン等の端末２００からの指示で、各種の制御を行うこともできる。
また、制御部８は、ジョブデータ削除制御部８１（ジョブデータ削除制御手段、ジョブデータ維持制御手段、ジョブデータ修正手段）、タイマー８２（時間計測手段）を機能部位として備えている。
【００２４】
ジョブデータ削除制御部８１は、人感センサー１３と、ユーザーのログイン状態と、タイマー８２との関係により、ジョブデータ９２を維持するか削除するかの制御を行う。
また、ジョブデータ削除制御部８１は、認証が行われてログイン状態になったユーザーの指示により、ジョブデータ９２に修正を加え、画像形成部７を含む各部から出力させる制御を行う。
このジョブデータ削除制御部８１による処理の詳細については、後述する。
【００２５】
タイマー８２は、水晶発振子を備えるリアルタイムタイマー等であり、タイマー設定９１に従って、各種時刻を計測する。
タイマー８２は、ジョブデータ削除制御部８１により、複数のタイマーのスタート／ストップが制御され、ユーザーのログイン状態と、人感センサー１３での検知との関連についての時間を主に計測する。すなわち、タイマー８２は、ユーザー毎、ジョブデータ９２毎に、時間を計測するよう構成される。
【００２６】
記憶部９は、半導体メモリやＨＤＤ（Hard Disk Drive）等の記憶手段である。
記憶部９は、画像処理部１０で画像処理された画像データ、記録媒体１００に記憶された各種ファイル、サムネイル画像のデータ等を記憶する。また、記憶部９は、各ユーザーの保存フォルダを備えている。
また、記憶部９は、アカウント設定９０を記憶するアカウント設定記憶手段、タイマー設定９１を記憶する時間設定記憶手段、ジョブデータ９２を記憶するジョブデータ記憶手段として機能する。
【００２７】
アカウント設定９０は、ユーザーＩＤ毎に、画像形成装置１の各種情報を備えたデータベースである。
アカウント設定９０のユーザーＩＤ毎の各ユーザーの情報は、操作パネル部６から、入力、登録、変更される。また、端末２００や記録媒体接続部６３に接続された記録媒体１００等から、当該ユーザーの各種情報を入力し登録してもよい。また、アカウント設定９０には、ゲストのユーザーを登録してもよい。
【００２８】
タイマー設定９１は、ジョブデータ削除制御部８１がタイマー８２で計測する設定時間の値である「ｔＬＯ」（ログアウト設定時間）、「ｔＲ１」（第１の設定時間）、「ｔＲ２」（第２の設定時間）等の値を含んでいる。
ｔＬＯは、ユーザー認証後、ジョブデータ９２の修正が終わり、ユーザーからの指示を受けとらなくなった際に、ログアウトするまでのタイムアウトの時間の設定値である。
ｔＲ１は、ログアウト後に人感センサー１３に反応がなかった場合に、ジョブデータ９２を削除するまでの設定時間の値である。
ｔＲ２は、別ユーザーがログインした際に、ジョブデータ９２を削除するまでの設定時間の値である。
操作パネル部６や端末２００からのユーザーの指示により、制御部８は、ｔＬＯ、ｔＲ１、ｔＲ２の各設定値を変更可能である。
タイマー設定９１による、これらの値を用いた時間の計測及び処理の詳細については、後述する。
【００２９】
ジョブデータ９２は、ユーザーの端末２００からネットワーク１５０を介して送信された記録用の画像データ、原稿読取部２で読み取られ画像処理部１０で画像処理された画像データ（スキャンされた画像データ）、記録媒体１００等から読み取られた画像データ等のジョブに関するデータである。
ジョブデータ９２は、記録媒体１００に記憶されてもよい。また、画像データは、ネットワーク経由で図示しない端末に送信されてもよい。
また、ジョブデータ９２は、ＮＡＳ（Network Attached Storage）のようにユーザーＩＤや保存フォルダ毎に記憶部９へ記憶されてもよい。
【００３０】
画像処理部１０は、ＤＳＰ（Digital Signal Processor）やＧＰＵ（Graphics Processing Unit）の制御演算部位である。画像処理部１０は、画像データに対して所定の画像処理を行う手段であり、例えば、拡大縮小処理や、濃度調整、階調調整等の画像改善処理を含む各種画像処理を行う。
また、画像処理部１０は、原稿読取部２で読み取られた画像を、ＰＤＦやＴＩＦＦ等のフォーマットの画像データに変換してもよい。
【００３１】
ＦＡＸ送受信部１１は、ファクシミリの送受信を行う部位であり、通常の電話回線やＩＳＤＮ回線等と接続されている。
ＦＡＸ送受信部１１は、ファクシミリを受信した画像データを、画像形成部７から直接出力又はＦＡＸ受信ジョブのジョブデータ９２として記憶部９に記憶する。
また、ＦＡＸ送受信部１１は、端末２００から受信したＦＡＸ送信ジョブのジョブデータ９２を、画像形成部７で現像して出力する代わりにファクシミリ送信して出力することもできる。
【００３２】
ネットワーク送受信部１２は、ネットワーク１５０に接続するためのＬＡＮボードや無線送受信機やテレフォン・ダイアラーやカプラ等を含む、外部のネットワーク１５０へ接続する部位である。ネットワーク１５０は、ＬＡＮ、ＷＡＮ、携帯電話網等のネットワークである。
ネットワーク送受信部１２は、ネットワーク１５０を介し、端末２００と接続される。これにより、ネットワーク送受信部１２は、端末２００から受信したジョブデータ９２等を記憶部９に出力して記憶する。
【００３３】
なお、画像形成装置１は、制御部８や画像処理部１０等を、ＧＰＵ内蔵ＣＰＵや、チップ・オン・モジュールパッケージのように、一体的に形成してもよい。
また、画像形成装置１は、他の画像形成装置１や外部のサーバ（図示せず）にアップロードを行うためのアップロード部等を備えていてもよい。
【００３４】
〔画像形成装置１によるジョブデータ維持制御処理〕
次に、図３を参照して、本発明の実施の形態に係る画像形成装置１によるジョブデータ維持制御処理について説明する。
本実施形態のジョブデータ維持制御処理は、記録媒体１００や操作パネル部６からのユーザーＩＤ等入力によりユーザー認証を行う。
そして、ジョブデータ９２の修正が終わり、更にタイムアウトまでの時間の設定値である時間ｔＬＯが経過した後でも、人感センサー１３により人が画像形成装置１の前にいると検出されている間は、ジョブデータ９２を記憶部９に記憶されたまま（維持）にしておく。この維持状態では、再度ログインされた場合でも、ジョブデータ９２の修正や再出力が可能である。
逆にログアウト後、設定された時間ｔＲ１以上、人感センサー１３に反応がなければ、データの修正は不要と判断して、データを自動的に削除する。
また、ログアウト後に、他のユーザーがログインした場合、時間ｔＲ１よりも短い時間ｔＲ２が経過するまでは、ジョブデータ９２を削除せず、当該ユーザーが再度ログインした際には、修正（編集）や再出力が可能である。逆に、時間ｔＲ２が経過するまでに、当該ユーザーのログインがなければ、ジョブデータ９２は不要と判断し削除する。
以下で、図３のフローチャートにより、本実施形態のジョブデータ維持制御処理をステップ毎に詳しく説明する。この処理は、制御部８のジョブデータ削除制御部８１が、記憶部９に記憶されたプログラムに従って、ハードウェア資源を用いて実行する。
また、以下の処理は、入力したジョブデータ９２毎に、ユーザーＩＤにより区別されて実行される。ここでは、「ユーザーＡ」が端末２００から送信したジョブデータ９２を画像形成部７にて記録するよう指示した例について説明する。
【００３５】
（ステップＳ１００）
まず、ジョブデータ削除制御部８１は、ジョブデータ入力処理を行う。
ジョブデータ削除制御部８１は、ネットワーク送受信部１２を介して、端末２００等からのジョブデータ９２を取得し、記憶部９に記憶する。
また、ジョブデータ削除制御部８１は、原稿読取部２で、スキャン、コピー、ファクシミリ送信するための画像データが読み込まれた場合にも、この読み込まれた画像データをジョブデータ９２として取得し、記憶部９に記憶する。
また、ジョブデータ削除制御部８１は、ＦＡＸ送受信部１１でファクシミリ受信された画像データについても、ジョブデータ９２として取得し、記憶部９に記憶する。
ジョブデータ削除制御部８１は、取得したジョブデータ９２にジョブＩＤを設定し、取得した時間についても記憶部９に記憶する。この「取得した時間」が、当該ジョブデータ９２を削除するまでの時間の測定に用いられる。
【００３６】
（ステップＳ１０１）
次に、ジョブデータ削除制御部８１は、待機／ログイン処理を行う。
まず、ジョブデータ削除制御部８１は、ユーザーの認証が行われるまで、所定時間、待機する。この所定時間としては、当該ユーザーが画像形成装置の設置場所に出力された記録紙を取りに行くための時間よりも十分に長い時間が設定されることが望ましい。
ジョブデータ削除制御部８１は、この待機中に、記録媒体接続部６３に記録媒体１００が無線又は有線で接続されたことを検知した場合、ユーザーＩＤを含む認証情報を確認する。記録媒体１００に認証情報が存在した場合、ジョブデータ削除制御部８１は、復号化等を行って、アカウント設定９０を参照し、当該ユーザーＩＤ又は認証情報によるユーザーの認証を行う。
また、ジョブデータ削除制御部８１は、操作パネル部６のユーザーのパスワード等の入力により、認証を行ってもよい。
また、ジョブデータ削除制御部８１は、端末２００からのユーザーのユーザーＩＤとパスワード等の入力により、認証を行ってもよい。この際に、暗号化されたＳＳＬやＨＴＴＰｓ等の接続を用いてもよい。
さらに、端末２００は、ジョブデータ９２に、暗号化されたユーザーＩＤを含む認証情報を入れ込んで送信することも可能である。このような場合、ジョブデータ削除制御部８１は、ジョブデータ９２に含まれるユーザーＩＤやパスワード等の情報を復号化して、認証を行ってもよい。
【００３７】
ジョブデータ削除制御部８１は、ユーザーの認証が成功した場合、画像形成装置１で当該ユーザーのジョブデータ９２の出力や修正が可能なログイン状態にする。
ジョブデータ削除制御部８１は、このログイン状態にする際に、アカウント設定９０を参照して、どのユーザーが指示したジョブであるかを判別する。ジョブデータ削除制御部８１は、当該ユーザーのユーザーＩＤをジョブデータ９２に入れ込んで記憶部９に記憶する。
以下の例において、ジョブデータ９２のジョブＩＤは「ユーザーＡ」とする。
なお、ゲストのユーザーによる出力の場合は、ログインをしなくても実行可能なジョブが設定されている場合は、当該ジョブをそのまま実行可能である。
【００３８】
（ステップＳ１０２）
次に、ジョブデータ削除制御部８１は、所定時間内にログイン状態になったか否かを判定する。
Ｙｅｓ、すなわち所定時間以内に認証が成功しログイン状態になった場合、ジョブデータ削除制御部８１は、処理をステップＳ１０３に進める。
Ｎｏの場合、すなわち、ユーザーの認証がされなかった場合や認証に失敗した場合、ログイン状態にならないため、ジョブデータ削除制御部８１は、処理をＳ１０７に進める。その後、ジョブデータ削除制御部８１は、ジョブデータ９２の削除までの時間をセットする。
【００３９】
（ステップＳ１０３）
次に、ジョブデータ削除制御部８１は、ログインしたユーザーが、ジョブデータ９２のユーザーＩＤと同じであったか否かについて判定する。すなわち、この例では「ユーザーＡ」がログインしたか否かについて判定する。
ジョブデータ削除制御部８１は、ジョブデータ９２と同じユーザー、ここではユーザーＡであった場合には、Ｙｅｓと判定する。ジョブデータ削除制御部８１は、それ以外の場合の場合にはＮｏと判定する。
Ｙｅｓの場合、ジョブデータ削除制御部８１は、処理をステップＳ１０４に進める。
Ｎｏの場合、ジョブデータ削除制御部８１は、処理をステップＳ１０１に戻して、この例では「ユーザーＡ」のログインを待つ。
【００４０】
（ステップＳ１０４）
次に、ジョブデータ削除制御部８１は、ジョブ修正／出力処理を行う。
ジョブデータ削除制御部８１は、制御部８は、操作パネル部６や、端末２００からユーザーの指示を取得する。また、ジョブデータ削除制御部８１は、各種センサで検知された信号を基に、ユーザーの指示を取得してもよい。
これにより、ジョブデータ削除制御部８１は、アカウント設定９０の権限に従い、ジョブデータ９２の各種ジョブを実行する。
【００４１】
また、ジョブデータ削除制御部８１は、操作パネル部６のタッチパネル６１やボタン部６２等によるユーザーの指示により、ジョブデータ９２に修正を加える。
この修正としては、ジョブデータ９２の画像の濃度調整、色調整、画像の出力位置／大きさ調整、給紙カセット４２１や手差しトレイの選択、紙の厚さ指定、機密マークや透かしや印刷枠の付加、所定画像枠の付加、伝票用印刷の設定等の調整を行う。
また、ジョブデータ削除制御部８１は、ジョブデータ９２の出力が完了、又はユーザーによるジョブデータ９２の修正が終了した場合、タイマー８２をスタートさせる。
【００４２】
（ステップＳ１０５）
次に、ジョブデータ削除制御部８１は、タイムアウトの時間が経過したか否かを判定する。ジョブデータ削除制御部８１は、タイマー８２により、ジョブデータ９２の修正が終わり、ユーザーからの指示が取得されなくなってから、タイマー設定９１の時間ｔＬＯが経過したか否かを判定する。
ジョブデータ削除制御部８１は、既に時間ｔＬＯを経過していた場合、タイムアウトと判定し、Ｙｅｓと判定する。ジョブデータ削除制御部８１は、それ以外の場合にはＮｏと判定する。
Ｙｅｓの場合、ジョブデータ削除制御部８１は、処理をステップＳ１０６に進める。
Ｎｏの場合、ジョブデータ削除制御部８１は、処理をステップＳ１０４に戻す。このようにログインされている間、ユーザーＡは、ジョブデータ９２に係るジョブの出力や、ジョブデータ９２の修正を行うことが可能である。
【００４３】
（ステップＳ１０６）
既にタイムアウトの時間ｔＬＯが経過していた場合、ジョブデータ削除制御部８１は、ログアウト処理を行う。
ジョブデータ削除制御部８１は、ログイン状態になっていたユーザーＩＤのユーザーについて、ログアウト状態、すなわちログインしていない状態にする。この例では、「ユーザーＡ」をログアウト状態とし、ユーザーＡが再びログインしない限り、ジョブデータ９２の出力や修正を禁止する。
しかしながら、ジョブデータ削除制御部８１は、この時点では、ジョブデータ９２を記憶部９に残したままにする。
【００４４】
（ステップＳ１０７）
次に、ジョブデータ削除制御部８１は、ｔＲ１セット処理を行う。
ここでは、ジョブデータ削除制御部８１は、タイマー８２をスタートさせ、時間経過を測定する時間の値として「ｔＲ１」を設定する。
この時間ｔＲ１は、上述したように、人感センサー１３に反応がなければ、ジョブデータ９２の修正を不要と判断し、自動的に削除するための設定時間である。
【００４５】
（ステップＳ１０８）
次に、ジョブデータ削除制御部８１は、人感センサー１３でユーザーが検知されたか否かを判定する。
ジョブデータ削除制御部８１は、人感センサー１３の信号から、ユーザーの接近を検知して判定する。ユーザーを検知した場合Ｙｅｓと判定する。ジョブデータ削除制御部８１は、それ以外の場合はＮｏと判定する。
Ｙｅｓの場合、ジョブデータ削除制御部８１は、処理をステップＳ１１１に進める。
Ｎｏの場合、ジョブデータ削除制御部８１は、処理をステップＳ１０９に進める。
【００４６】
（ステップＳ１０９）
次に、ジョブデータ削除制御部８１は、タイマーカウント処理を行う。
ジョブデータ削除制御部８１は、スタートされた状態になっているタイマー８２の経過時間を測定する。
【００４７】
（ステップＳ１１０）
次に、ジョブデータ削除制御部８１は、タイマー８２の経過時間が設定された時間を超えたか否かについて判定する。つまり、タイマー８２に設定された値を超えているか否かについて調べる。この設定された値は、上述の時間ｔＲ１、又は時間ｔＲ１よりも短い設定値である時間ｔＲ２が設定されている。ジョブデータ削除制御部８１は、タイマー８２で測定された時間が、設定された時間ｔＲ１又はｔＲ２を超えていた場合に、Ｙｅｓと判定する。それ以外の場合の場合にはＮｏと判定する。
Ｙｅｓの場合、ジョブデータ削除制御部８１は、処理をステップＳ１１６に進める。
Ｎｏの場合、ジョブデータ削除制御部８１は、処理をステップＳ１０８に戻して、タイマー８２のカウントを進める。
【００４８】
（ステップＳ１１１）
ログアウト後、ステップＳ１０８で人感センサー１３で人が検知された場合、ジョブデータ削除制御部８１は、待機処理を行う。
この処理では、ジョブデータ削除制御部８１は、ステップＳ１０１の待機／ログイン処理と同様に、ユーザーがログインするまで待機する。
ジョブデータ削除制御部８１は、記録媒体１００、操作パネル部６、端末２００等からのユーザーの認証に成功した場合、ログイン状態にする。この際に、ジョブデータ９２のユーザーＩＤとは異なるユーザーがログインすることもある。
なお、待機の際には、タイマー８２をストップして、時間の測定を停止してもよい。
【００４９】
（ステップＳ１１２）
次に、ジョブデータ削除制御部８１は、ログインがあったか否かを判定する。
ジョブデータ削除制御部８１は、所定の待機時間以内に、ユーザーの認証が行われ、ログイン状態になった場合には、Ｙｅｓと判定する。それ以外の場合の場合にはＮｏと判定する。
Ｙｅｓの場合、ジョブデータ削除制御部８１は、処理をステップＳ１１３に進める。
Ｎｏの場合、ジョブデータ削除制御部８１は、処理をステップＳ１０８に戻す。これにより、ｔＲ１にセットされた時間の測定が再開される。
【００５０】
（ステップＳ１１３）
所定の待機時間以内にログイン状態となった場合、ジョブデータ削除制御部８１は、タイマークリア処理を行う。
具体的には、ジョブデータ削除制御部８１は、タイマー８２で測定するために設定されていた時間の値を消去（クリア）する。
【００５１】
（ステップＳ１１４）
次に、ジョブデータ削除制御部８１は、ジョブデータ９２と同一のユーザーがログインしたか否かを判定する。すなわち、この例では、「ユーザーＡ」がログインした場合に、Ｙｅｓと判定する。それ以外、ジョブデータ９２のユーザーＩＤとは異なる他のユーザーがログイン場合にはＮｏと判定する。
Ｙｅｓの場合、ジョブデータ削除制御部８１は、処理をステップＳ１０４（図３の「Ｃ」で示す）に戻す。これにより、再度、ユーザーＡがジョブデータを修正や出力することが可能となる。
Ｎｏの場合、ジョブデータ削除制御部８１は、処理をステップＳ１１５に進める。このように、他のユーザーがログイン状態になった場合、当該他のユーザーのユーザーＩＤのジョブデータ９２を出力したり、修正したりすることが可能である。
【００５２】
（ステップＳ１１５）
ジョブデータ９２のユーザーＩＤとは異なる他のユーザーがログインした場合、ジョブデータ削除制御部８１は、ｔＲ２セット処理を行う。
ジョブデータ削除制御部８１は、タイマー８２で測定するために設定する値として、人感センサー１３で人が検知されても、他のユーザーがログインした場合には、短めの値である時間ｔＲ２を設定する。すなわち、時間ｔＲ２＜時間ｔＲ１となる値を設定する。これは、他のユーザーがログインした際にタイマー８２を長めの時間ｔＲ１に設定すると、不要になったジョブデータ９２が維持される時間が長くなるためである。ｔＲ２のような短い時間を設定することで、ジョブデータ９２の維持と削除とのバランスをとることができる。
その後、ジョブデータ削除制御部８１は、処理をステップＳ１０９に戻して、短めに設定されたタイマーをカウントする。
【００５３】
（ステップＳ１１６）
設定された時間を過ぎた場合、つまりステップＳ１１０でＹｅｓの場合、ジョブデータ削除制御部８１は、ジョブデータ削除処理を行う。
ジョブデータ削除制御部８１は、設定されている時間ｔＲ１又はｔＲ２内に、再度ユーザーのログインがなければ、当該ジョブデータ９２は不要と判断して削除する。この例では、ユーザーＡのジョブデータ９２を削除する。
この際、他のユーザーＩＤでのログイン状態が継続している場合も、設定された時間ｔＲ２の経過後に、ユーザーＡのジョブデータ９２を削除する。
以上により、本発明の実施の形態に係るジョブデータ維持制御処理を終了する。
なお、他のユーザーＩＤでのログイン状態が継続している間は、タイマー８２をストップして、経過時間を測定しないように構成してもよい。
【００５４】
以上のように構成することで、以下のような効果を得ることができる。
本実施の形態に係る画像形成装置１は、出力した画像を修正する場合、ユーザーのログイン状態と人感センサー１３の検出状況により、ジョブデータ９２が削除されるまでの時間を決定する。
これにより、ユーザーが画像形成装置１の前で出力画像を確認している間は、データ編集のためのジョブデータ９２を維持し、再度必要ならば修正や再出力が可能となる。
また、ユーザーがログアウトし、画像形成装置１の前から離れたことを確認してジョブデータ９２を削除することが可能となる。
このため、ユーザーの利便性を高めるとともに、ジョブデータ９２が出力された後、長期間に記憶部９に記憶されたままになることを防止できる。よって、ユーザーの利便性を高められる。また、不要なデータが記憶部９に蓄積されることによる記憶領域の圧迫や、情報流出等を防止することができる。
【００５５】
また、本実施形態の画像形成装置１は、ログインのタイムアウトの時間ｔＬＯが経過した後でも、人感センサー１３により人が検出されている間は、ジョブデータ９２を残しておき、再度ログインした際に修正や再出力が可能である。また、画像形成装置１は、ログアウト後に、設定された時間ｔＲ１以上、人感センサー１３に反応がない場合、ジョブデータ９２を削除する。更に、画像形成装置１は、ログアウト後に他のユーザーがログインした場合、時間ｔＲ１より短い時間ｔＲ２が経過するまではジョブデータ９２を残しておき、再度当該ユーザーのログインが行われれば画像編集を可能である。
つまり、他のユーザーがログインして修正や出力を行っている場合でも、所定時間経過後にジョブデータ９２を削除することが可能となる。よって、人感センサー１３に他のユーザーが検知され続けた場合でも、ジョブデータ９２を削除することができ、削除と維持のバランスを保つことができる。このため、ユーザーの利便性を高めることができる。
【００５６】
なお、本実施形態の画像形成装置１は、画像形成装置以外の情報処理装置にも適用できる。
また、画像形成装置１は、記録媒体接続部６３や人感センサー１３を別途接続せずに本体部４に内蔵するような構成であってもよい。
また、画像形成装置１の使用状況によりユーザーの操作がログイン操作が多い等、他のユーザーの操作による待ち時間が長いことが想定される場合、ｔＲ１＞＝ｔＲ２となるような値が設定されていてもよい。
【００５７】
なお、上記実施の形態の構成及び動作は例であって、本発明の趣旨を逸脱しない範囲で適宜変更して実行することができることは言うまでもない。
【符号の説明】
【００５８】
１  画像形成装置
２  原稿読取部
３  原稿給送部
４  本体部
５  スタックトレイ
６  操作パネル部
７  画像形成部
８  制御部
９  記憶部
１０  画像処理部
１１  ＦＡＸ送受信部
１２  ネットワーク送受信部
１３  人感センサー
２１  スキャナー
２２  プラテンガラス
２３  原稿読取スリット
３１  原稿載置部
３２  原稿排出部
３３  原稿搬送機構
４１  排出口
４２  給紙部
４３  用紙搬送路
４４  搬送ローラー
４５  排出ローラー
６１  タッチパネル
６２  ボタン部
６３  記録媒体接続部
７１  感光体ドラム
７２  露光部
７３  現像部
７４  転写部
７５  定着部
８１  ジョブデータ削除制御部
８２  タイマー
９０  アカウント設定
９１  タイマー設定
９２  ジョブデータ
１００  記録媒体
１５０  ネットワーク
２００  端末
４２１  給紙カセット
４２２  給紙ローラー
【図１】
2014091215.tif 000003
【図２】
2014091215.tif 000004
【図３】
2014091215.tif 000005